(57)【要約】【課題】地上波アナログ／デジタル放送テレビジョン受信装置において地上波デジタル放送番組視聴中に地上波デジタル放送の異なる番組の録画予約が実行されるとデコーダーを占有するため番組が切り替わってしまい、視聴が中断されるという課題があった。【解決手段】録画予約実行時に番組情報蓄積手段から視聴中の地上波デジタル放送番組と同内容のアナログ放送番組を検索し、該当のアナログ放送番組へ切換えることで視聴の中断を防ぐ。【選択図】図１
2007194782.tif 000002
【特許請求の範囲】
【請求項１】
ＴＶ放送を受信する地上波デジタル放送用チューナーと、
地上波アナログ放送用チューナーと、
デジタル放送用映像／音声デコーダーと、
デジタル放送の映像／音声とアナログ放送の映像／音声の出力を制御する映像／音声出力切換手段と、
ＴＶ放送に重畳されている番組情報を取得する番組情報蓄積手段と、
時間管理を行い前記チューナーと前記デコーダーと前記映像／音声出力切換手段を制御する録画予約制御手段とを備え、
ある地上波デジタル放送番組視聴中に異なる地上波デジタル放送番組の映像／音声を外部録画機器に対して出力する際、同じ番組内容の地上波アナログ放送の番組に自動で切換えることを特徴とするテレビジョン受信装置。
【請求項２】
ＴＶ放送を受信する衛星デジタル放送用チューナーと
地上波デジタル放送用チューナーと
地上波アナログ放送用チューナーと
デジタル放送用映像／音声デコーダーと
デジタル放送の映像／音声とアナログ放送の映像／音声の出力を制御する映像／音声出力切換手段と
ＴＶ放送に重畳されている番組情報を取得する番組情報蓄積手段と
時間管理を行い前記チューナーとデコーダーと映像／音声出力切換手段を制御する録画予約制御手段とを備え、
地上波デジタル放送番組視聴中に衛星デジタル放送番組の映像／音声を外部録画機器に対して出力する際、同じ番組内容の地上波アナログ放送の番組に自動で切り換えることを特徴とするテレビジョン受信装置。
【発明の詳細な説明】
【技術分野】
【０００１】
本発明は、テレビジョン受信装置（本発明ではテレビとして以下記す）が、外部録画機器に対してデジタル放送の映像／音声を出力する録画予約機能を有し、視聴用の映像／音声出力と録画用の映像／音声出力の切換を行うテレビの映像／音声出力切換制御に関する。
【背景技術】
【０００２】
地上波デジタル放送開始時は出力が弱く、すべての地域で受信可能になるには時間を要するため、地上波アナログ放送も継続して行われている。この際の放送運用としてほとんどの番組がデジタル放送でもアナログ放送でも同じ内容となっているサイマル放送という方式が採用されている。
【０００３】
一方、近年さまざまな放送、たとえばＢＳデジタル放送や地上波デジタル放送に対応したチューナーを備えたテレビが普及している。しかしながら、録画機器に関してはこれらのチューナーをすべて備えていることは稀であり、アナログテレビチューナーのみを備えた機器が多い。このような背景の中で、録画機器がチューナーを備えていない放送を録画しようとした場合、テレビにより受信した映像を外部に出力することで外部の録画機器にて録画を行うという方法が一般的である。
【０００４】
このような中で地上波デジタル放送視聴時に天候などの理由から受信状態が低下した際、視聴中断を防ぐため同じ番組内容のアナログ放送に自動的に切り換える技術が提案されている（例えば、特許文献１参照）が、視聴を目的としたユーザーにとって意図しない操作（録画予約の実行など）による視聴中断を防止する技術がこれまで提案されていなかった。
【特許文献１】特開平７−７５０３０号公報
【発明の開示】
【発明が解決しようとする課題】
【０００５】
デジタル放送用の映像／音声デコーダーを１つしか搭載していないテレビでは地上波デジタル放送の番組を視聴中に地上波デジタル放送の異なる番組の録画予約が実行されるとデコーダーを占有するため番組が切り替わってしまい、現在視聴中の番組が中断されるという課題があった。地上波デジタル放送の番組を視聴中に衛星デジタル放送の番組の録画予約が実行される場合も同様の課題が発生する。
【０００６】
本発明は、地上波デジタル放送番組視聴中にデジタル放送の録画予約が開始されても継続して同じ番組を視聴することが可能なテレビを提供することを目的とする。
【課題を解決するための手段】
【０００７】
本発明の請求項１に係るテレビは、映像表示手段と映像処理手段と映像表示手段と外部への映像／音声の切換えを行う映像出力切換手段と地上波アナログ放送用チューナーと地上波デジタル放送用チューナーとデジタル放送用映像／音声デコーダーと番組情報を取得する番組情報蓄積手段と時間管理を行い録画予約を実行する録画予約制御手段を備え、地上波デジタル放送番組視聴中に異なる地上波デジタル放送番組の録画予約が実行される際、録画予約制御手段が番組情報蓄積手段により視聴中と同じ番組内容の地上波アナログ放送番組を検索し、映像出力切換手段を制御して映像表示手段に表示する番組を切換えることを特徴とする。
【０００８】
また、本発明の請求項２に係るテレビジョン受信装置は、請求項１のテレビの構成に加えて、衛星デジタル放送用チューナーを備え、地上波デジタル放送番組視聴中に衛星デジタル放送番組の録画予約が実行される際、録画予約制御手段が番組情報蓄積手段により視聴中と同じ番組内容の地上波アナログ放送番組を検索し、映像出力切換手段を制御して映像表示手段に表示する番組を切換えることを特徴とする。
【発明の効果】
【０００９】
本発明により、視聴中の地上波デジタル放送番組と同じ番組内容の地上波アナログ放送番組に自動的に切換えることで録画予約実行時の視聴の中断を防ぐことが可能となる。
【発明を実施するための最良の形態】
【００１０】
（実施の形態１）
以下に、本発明の実施の形態１を図面を参照して説明する。
【００１１】
図１は本発明の実施の形態１に係るテレビのシステム構成を示している。テレビ１０１の中で、１０２は受信した映像を表示する映像表示部、１０３は受信した映像のさまざまな映像処理を行う映像処理部、１０４は受信した音声を出力する音声出力部、１０５は受信した音声のさまざまな音声処理を行う音声処理部である。
【００１２】
１０６は入力された映像／音声信号を任意に選択してテレビ１０１の映像処理部１０３、音声処理部１０５とテレビ１０１の外部に対して映像／音声を出力する映像／音声出力切換部であり、１０７は地上アナログテレビジョン放送波を受信し、映像／音声出力切換部１０６へ映像と音声を出力する地上波アナログ放送チューナー部、１０８は地上デジタルテレビジョン放送波を受信し、受信データを出力する地上波デジタル放送チューナー部で、１０９はこの受信データをデコードし、映像／音声信号を映像／音声出力切換部１０６へ出力するデジタル放送デコード部である。
【００１３】
１１０は地上アナログテレビジョン放送波と地上デジタルテレビジョン放送波からチャンネル、時刻、番組タイトル、番組内容、ジャンル、出演者などさまざまな番組情報を取得し、外部から参照できるように記憶蓄積する番組情報蓄積部、１１１は時刻を管理し、ユーザーによる番組の録画予約情報を記憶して録画予約情報の時刻になると番組情報蓄積部１１０を検索し、映像／音声出力切換部１０６、地上波アナログ放送チューナー部１０７、地上波デジタル放送チューナー部１０８の制御を行う録画予約制御部である。図１ではＥＰＧなどの録画を予約するためのチャンネル、録画開始／終了時刻の選択システムは従来のテレビと同様のため図示を省略している。
【００１４】
次に、このようなシステム構成における実施の形態１の録画予約実行時の動作について図２（ａ）、図２（ｂ）、図３を交えて説明する。
【００１５】
図２（ａ）、図２（ｂ）は図１の映像／音声出力切換部１０６の内部状態を示しており、図３は図１の番組情報蓄積部１１０の番組情報群を示している。
【００１６】
テレビ１０１において地上波デジタル放送番組の録画の予約が行われると録画予約制御部１１１は予約の状態管理を開始し、現在時刻Ｔ０が録画開始時刻Ｔ１と判別された場合には映像／音声出力切換部１０６の映像処理部１０３、音声処理部１０５への出力状態を内部出力用経路選択ＳＷ２１１の選択状態より参照する。
【００１７】
アナログ放送用映像／音声入力２１２と接続されている場合はアナログ放送番組、デジタル放送用映像／音声入力２１３と接続されている場合はデジタル放送番組の視聴中と判定する。アナログ放送の番組視聴中であった場合は録画予約情報に基づき、地上波デジタル放送チューナー部１０８を録画予約情報のチャンネルＣ０に選局し、図２（ａ）のように映像／音声出力切換部１０６を制御して外部出力用経路選択ＳＷ２１４をデジタル放送用映像／音声入力２１３と接続してデジタル放送デコード部１０９の映像／音声出力をテレビ１０１の外部へ出力するよう制御する。
【００１８】
デジタル放送の番組視聴中であった場合は地上波デジタル放送チューナー部１０８を参照し、現在選局中のチャンネルＣ１が録画予約情報のチャンネルＣ０と同一であった場合には、図２（ｂ）のように映像／音声出力切換部１０６を制御して外部出力用経路選択ＳＷ２２１をデジタル放送用映像／音声入力２２２と接続してデジタル放送デコード部１０９の映像／音声出力をテレビ１０１の外部へ出力するよう制御する。ここまでは従来のテレビの録画予約実行時の動作と同様である。
【００１９】
次に本発明の特徴となる録画予約実行動作について説明する。
【００２０】
前述のケースとは逆に現在選局中のチャンネルＣ１が録画予約情報のチャンネルＣ０と異なる場合は、録画予約情報に基づき、地上波デジタル放送チューナー部１０８をチャンネルＣ０に選局したのち、チャンネルＣ１、現在時刻Ｔ０に基づいて番組情報蓄積部１１０の全番組情報群３０１内の地上デジタル放送番組情報群３０２を検索し、現在視聴中の地上デジタル放送番組情報３０３を取得する。
【００２１】
続いて、番組情報蓄積部１１０の全番組情報群３０１内の地上アナログ放送番組情報群３０４内を取得した番組情報３０３のすべてまたは一部の情報が同一である地上アナログ放送番組情報３０５が存在するかどうか検索する。番組情報の一致の割合は任意に決定できるものとし、本発明では番組情報の一致を切換条件としているが、サイマル放送が確実に行われている地域、期間においてはユーザーに地上波デジタル放送の各チャンネルに対し、あらかじめ切換先の地上波アナログ放送の各チャンネルを指定させておくことで強制的に切換制御しても同様の効果が得られる。
【００２２】
同じ番組と判定できる地上アナログ放送番組情報３０５が発見された場合は、取得した番組情報３０５のチャンネルＣ２に基づいて地上波アナログ放送チューナー部１０８を制御し、図２（ａ）と同じように映像／音声出力切換部１０６を制御して内部出力用経路選択ＳＷ２１１をアナログ放送用映像／音声入力２１２と接続、外部出力用経路選択ＳＷ２１４をデジタル放送用映像／音声入力２１３と接続してデジタル放送デコード部１０９の映像／音声出力をテレビ１０１の外部へ、地上波アナログ放送チューナー部１０８の映像／音声出力を映像処理部１０３、音声処理部１０５へ出力されるようにする。
【００２３】
以上により、本発明の実施の形態１では、録画予約実行時に地上波デジタル放送の予約番組とは別の番組を視聴中であっても同じ番組内容の地上波アナログ放送へ自動的に切り換わるため番組の視聴の中断を防止することができる。
【００２４】
（実施の形態２）
以下に、本発明の実施の形態２を図面を参照して説明する。
【００２５】
図４は本発明の実施の形態２に係るテレビのシステム構成を示している。テレビ４０１の中で、４０２、４０３、４０４、４０５、４０６、４０７、４０８、４０９、４１０、４１１については本発明の実施の形態１における１０２、１０３、１０４、１０５、１０６、１０７、１０８、１０９、１１０、１１１と同様のため説明を省略する。
【００２６】
４１２は衛星デジタルテレビジョン放送波を受信し、受信データを出力する衛星デジタル放送チューナー部である。この受信データはデジタル放送デコード部４０９へ入力される。図４ではＥＰＧなどの録画を予約するためのチャンネル、録画開始／終了時刻の選択システムは従来のテレビと同様のため図示を省略している。
【００２７】
次に、このようなシステム構成における実施の形態２の録画予約実行時の動作について説明する。
【００２８】
テレビ４０１において衛星デジタル放送の録画の予約が行われると録画予約制御部４１１は予約の状態管理を開始し、現在時刻Ｔ２が録画開始時刻Ｔ３と判別された場合には映像／音声出力切換部４０６の映像処理部４０３、音声処理部４０５への出力状態を参照する。
【００２９】
本実施の形態のアナログ放送とデジタル放送の視聴判定方法とアナログ放送の番組視聴中であった場合の全制御と映像／音声出力切換部４０６に関する詳細制御については実施の形態１と同様のため説明を省略する。
【００３０】
デジタル放送の番組視聴中であった場合はデジタル放送デコード部を参照し、地上波デジタル放送チューナー部４０９からの出力、衛星デジタル放送チューナー部４１２からの出力のどちらをデコードしていたかを判定する。
【００３１】
衛星デジタル放送番組視聴中であった場合は、衛星デジタル放送チューナー部４１２をチャンネルＣ３に選局し、映像／音声出力切換部４０６を切換える。ここまでは従来のテレビの録画予約実行時の動作である。
【００３２】
次に本発明の特徴である録画予約実行動作について説明する。
【００３３】
前述のケースとは逆に地上波デジタル放送番組視聴中であった場合は衛星デジタル放送チューナー部４１２をチャンネルＣ３に選局し、デジタル放送デコード部４０８のデコードを地上波デジタル放送チューナー部４０９の出力のデコードから衛星デジタル放送チューナー部４１２の出力のデコードに切換える。
【００３４】
その後、実施の形態１と同様に番組情報蓄積部４１０を検索し、地上波アナログ放送チューナー部４０７と映像／音声出力切換部４０６を制御する。実施の形態１同様、番組情報の一致の割合は任意に決定できるものとし、本発明では番組情報の一致を切換条件としているが、サイマル放送が確実に行われている地域、期間においてはユーザーに地上波デジタル放送の各チャンネルに対し、あらかじめ切換先の地上波アナログ放送の各チャンネルを指定させておくことで強制的に切換制御しても同様の効果が得られる。
【００３５】
以上により、本発明の実施の形態２では、衛星デジタル放送番組の録画予約実行時に地上デジタル放送の番組を視聴中であっても同じ番組内容の地上波アナログ放送へ自動的に切り換わるため番組の視聴の中断を防止することができる。
【産業上の利用可能性】
【００３６】
本発明のテレビジョン受信装置は、テレビジョン放送番組の視聴中断を防止する効果を有しており、地上アナログ放送用／地上デジタル放送用チューナーを兼備したサイマル放送対応機器等に適用することができる。
【図面の簡単な説明】
【００３７】
【図１】本発明の実施の形態１のテレビジョン受信装置のシステム構成図
【図２】（ａ）本発明の実施の形態１のテレビジョン受信装置における番組蓄積情報群を示す図（ｂ）本発明の実施の形態１のテレビジョン受信装置における番組蓄積情報群を示す図
【図３】本発明の実施の形態１のテレビジョン受信装置における映像音声出力選択図
【図４】本発明の実施の形態２のテレビジョン受信装置におけるシステム構成図
【符号の説明】
【００３８】
１０１    テレビ
１０２    映像表示部
１０３    映像処理部
１０４    音声出力部
１０５    音声処理部
１０６    映像音声出力切換部
１０７    地上波アナログ放送チューナー部
１０８    地上波デジタル放送チューナー部
１０９    デジタル放送デコード部
１１０    番組情報蓄積部
１１１    録画予約制御部
２１１    内部出力用経路選択スイッチ
２１２    アナログ放送用映像／音声入力
２１３    デジタル放送用映像／音声入力
２１４    外部出力用経路選択スイッチ
２２１    デジタル放送用映像／音声入力
２２２    外部出力用経路選択スイッチ
３０１    全番組情報群
３０２    地上デジタル放送番組情報群
３０３    地上デジタル放送番組情報
３０４    地上アナログ放送番組情報群
３０５    地上アナログ放送番組情報
４０１    テレビ
４０２    映像表示部
４０３    映像処理部
４０４    音声出力部
４０５    音声処理部
４０６    映像音声出力切換部
４０７    地上波アナログ放送チューナー部
４０８    地上波デジタル放送チューナー部
４０９    デジタル放送デコード部
４１０    番組情報蓄積部
４１１    録画予約制御部
４１２    衛星デジタル放送チューナー部
【図１】
2007194782.tif 000003
【図２】
2007194782.tif 000004
【図３】
2007194782.tif 000005
【図４】
2007194782.tif 000006